【手続補正書】
【提出日】平成26年10月30日(2014.10.30)
【手続補正１】
【補正対象書類名】特許請求の範囲
【補正対象項目名】全文
【補正方法】変更
【補正の内容】
【特許請求の範囲】
【請求項１】
モバイルデバイスのロケーション推定値を判断するための方法であって、
第１の地理的エリアにいる間に、拡張支援データを受信することと、ここで、前記拡張支援データは、第２の地理的エリア中では適用可能であり、前記第１の地理的エリア中では適用不可能である支援データを備える、
前記拡張支援データをメモリに保存することと、
前記第１の地理的エリアから前記第２の地理的エリアに移動することと、
前記第２の地理的エリアにいる間に、前記第２の地理的エリア中で適用可能な前記支援データを使用してロケーション情報を取得することと、
前記モバイルデバイスの前記ロケーション推定値を判断するために前記ロケーション情報を与えることと
を備える、方法。
【請求項２】
前記第２の地理的エリアは、前記モバイルデバイスの将来のロケーションの予測に基づく、請求項１に記載の方法。
【請求項３】
前記第２の地理的エリアは、一連の過去のロケーションに基づく、請求項１に記載の方法。
【請求項４】
前記第２の地理的エリアは、前記モバイルデバイスの推定軌道に基づく、請求項１に記載の方法。
【請求項５】
前記第２の地理的エリアは、前記モバイルデバイスのルートに基づく、請求項１に記載の方法。
【請求項６】
前記第２の地理的エリアは、前記モバイルデバイスの目的地に基づく、請求項１に記載の方法。
【請求項７】
前記第２の地理的エリアは、ネットワーク構成に基づく、請求項１に記載の方法。
【請求項８】
前記ネットワークから支援データを要求することをさらに備える、請求項１に記載の方法。
【請求項９】
前記ネットワークから支援データを要求する前記行為は、前記モバイルデバイスから前記ネットワークに、前記モバイルデバイスのルーティング情報を与えることを備える、請求項８に記載の方法。
【請求項１０】
前記拡張支援データは、前記第１の地理的エリア中で適用可能な支援データをさらに備える、請求項１に記載の方法。
【請求項１１】
前記第１の地理的エリア中で適用可能な前記支援データを使用して前記第１の地理的エリア中のロケーション情報を取得することをさらに備える、請求項１０に記載の方法。
【請求項１２】
前記拡張支援データを使用して、前記第１の地理的エリア内の前記ロケーション推定値を推定するための複数の信号を受信することをさらに備える、請求項１０に記載の方法。
【請求項１３】
前記拡張支援データを使用して、前記第２の地理的エリア内の前記ロケーション推定値を推定するための複数の信号を受信することをさらに備える、請求項１に記載の方法。
【請求項１４】
前記ロケーション情報を与えることは、前記モバイルデバイスによって、前記第２の地理的エリア中の前記ロケーション推定値を判断することを備える、請求項１に記載の方法。
【請求項１５】
前記ロケーション情報を与えることは、前記ロケーション情報をネットワークに送ることによって、前記ネットワークが前記ロケーション推定値を判断することを支援することを備える、請求項１に記載の方法。
【請求項１６】
前記ロケーション情報は、前記第２の地理的エリアからの信号測定値を備える、請求項１に記載の方法。
【請求項１７】
前記第２の地理的エリア中のロケーション推定値を判断するための前記信号測定値をネットワークに送信することをさらに備える、請求項１６に記載の方法。
【請求項１８】
モバイルデバイスのロケーション推定値を判断するためのモバイルデバイスであって、前記モバイルデバイスが、基地局受信機と、基地局送信機と、プロセッサと、メモリとを備え、前記メモリが、
第１の地理的エリアにいる間に、拡張支援データを受信することと、ここで、前記拡張支援データは、第２の地理的エリア中では適用可能であり、前記第１の地理的エリア中では適用不可能である支援データを備える、
前記拡張支援データをメモリに保存することと、
前記第２の地理的エリアにいる間に、前記第２の地理的エリア中で適用可能な前記支援データを使用してロケーション情報を取得することと、
前記モバイルデバイスの前記ロケーション推定値を判断するために前記ロケーション情報を与えることと
を行うためのコードを備える、モバイルデバイス。
【請求項１９】
前記第２の地理的エリアは、
前記モバイルデバイスの将来のロケーションの予測、
一連の過去のロケーション、
前記モバイルデバイスの推定軌道、
前記モバイルデバイスのルート、および
前記モバイルデバイスの目的地のうちの少なくとも１つに基づく、請求項１８に記載のモバイルデバイス。
【請求項２０】
前記拡張支援データは、前記第１の地理的エリア中で適用可能な支援データをさらに備える、請求項１８に記載のモバイルデバイス。
【請求項２１】
前記拡張支援データを使用して、前記第２の地理的エリア内の前記ロケーション推定値を推定するための複数の信号を受信するためのコードをさらに備える、請求項１８に記載のモバイルデバイス。
【請求項２２】
前記ロケーション情報を与えるための前記コードは、前記モバイルデバイスによって、前記第２の地理的エリア中の前記ロケーション推定値を判断するためのコードを備える、請求項１８に記載のモバイルデバイス。
【請求項２３】
前記ロケーション情報を与えるための前記コードは、前記ロケーション情報をネットワークに送ることによって、前記ネットワークが前記ロケーション推定値を判断することを支援するためのコードを備える、請求項１８に記載のモバイルデバイス。
【請求項２４】
モバイルデバイスのロケーション推定値を判断するためのモバイルデバイスであって、
第１の地理的エリアにいる間に、拡張支援データを受信するための手段と、ここで、前記拡張支援データは、第２の地理的エリア中では適用可能であり、前記第１の地理的エリア中では適用不可能である支援データを備える、
前記拡張支援データをメモリに保存するための手段と、
前記第２の地理的エリアにいる間に、前記第２の地理的エリア中で適用可能な前記支援データを使用してロケーション情報を取得するための手段と、
前記モバイルデバイスの前記ロケーション推定値を判断するために前記ロケーション情報を与えるための手段と
を備える、モバイルデバイス。
【請求項２５】
モバイルデバイスのロケーション推定値を判断するためのモバイルデバイスであって、前記モバイルデバイスが、プロセッサと、メモリとを備え、前記メモリが、
第１の地理的エリアにいる間に、拡張支援データを受信することと、ここで、前記拡張支援データは、第２の地理的エリア中では適用可能であり、前記第１の地理的エリア中では適用不可能である支援データを備える、
前記拡張支援データをメモリに保存することと、
前記第２の地理的エリアにいる間に、前記第２の地理的エリア中で適用可能な前記支援データを使用してロケーション情報を取得することと、
前記モバイルデバイスの前記ロケーション推定値を判断するために前記ロケーション情報を与えることと
を行うための命令を備える、モバイルデバイス。
【請求項２６】
モバイルデバイスのロケーション推定値を判断するための、前記モバイルデバイスのためのそこに記憶されたプログラムコードを備える非一時的なコンピュータ可読記憶媒体であって、前記プログラムコードが、
第１の地理的エリアにいる間に、拡張支援データを受信することであって、前記拡張支援データが、第２の地理的エリア中では適用可能であり、前記第１の地理的エリア中では適用不可能である支援データを備える、受信することと、
前記拡張支援データをメモリに保存することと、
前記第２の地理的エリアにいる間に、前記第２の地理的エリア中で適用可能な前記支援データを使用してロケーション情報を取得することと、
前記モバイルデバイスの前記ロケーション推定値を判断するために前記ロケーション情報を与えることと
を行うためのコードを含む、コンピュータ可読記憶媒体。
【請求項２７】
ネットワークによって、第１の地理的エリア中のモバイルデバイスのための拡張支援データを準備する方法であって、
第２の地理的エリアをそれによって定義する、識別すべき基地局を判断することと、
前記拡張支援データを準備することと、ここで、前記拡張支援データは、前記第２の地理的エリア中では適用可能であり、前記第１の地理的エリア中では知られている適用不可能である支援データを備える、
前記モバイルデバイスが前記第１の地理的エリアにいる間に前記拡張支援データを前記モバイルデバイスに送ることと
を備える、方法。
【請求項２８】
前記第１の地理的エリア中の前記モバイルデバイスから支援データ要求を受信することをさらに備える、請求項２７に記載の方法。
【請求項２９】
識別すべき前記基地局を判断する前記行為は、前記第１の地理的エリア中の前記モバイルデバイスから前記支援データ要求を受信する前記行為によってトリガされる、請求項２８に記載の方法。
【請求項３０】
識別すべき前記基地局を判断する前記行為は、前記ネットワークによって、前記基地局を判断する前記行為をトリガすることを備える、請求項２７に記載の方法。
【請求項３１】
トリガする前記行為は、少なくとも１つのネットワークパラメータに基づく、請求項３０に記載の方法。
【請求項３２】
前記少なくとも１つのネットワークパラメータが、
（ａ）前記モバイルデバイスから受信されたパラメータ、
（ｂ）過去の期間中に行われたいくつかの位置トランザクション、
（ｃ）前記ネットワークによって作成された一連の以前のロケーション推定値、
（ｄ）ネットワーク構成の一部として与えられた展開情報、
（ｅ）前記モバイルデバイスのプロファイルのうちの少なくとも１つに基づく、請求項３１に記載の方法。
【請求項３３】
第１の地理的エリア中のモバイルデバイスのための拡張支援データを準備するためのネットワークエンティティであって、
第２の地理的エリアをそれによって定義する、識別すべき基地局を判断するための手段と、
前記拡張支援データを準備するための手段と、ここで、前記拡張支援データは、前記第２の地理的エリア中では適用可能であり、前記第１の地理的エリア中では知られている適用不可能である支援データを備える、
前記モバイルデバイスが前記第１の地理的エリアにいる間に、前記拡張支援データを前記モバイルデバイスに送るための手段と
を備える、ネットワークエンティティ。
【請求項３４】
第１の地理的エリア中のモバイルデバイスのための拡張支援データを準備するためのネットワークエンティティであって、前記ネットワークエンティティがプロセッサとメモリとを備え、前記メモリが、
第２の地理的エリアをそれによって定義する、第１の地理的エリア中の前記モバイルデバイスのための、識別すべき基地局を判断することと、
前記拡張支援データを準備することと、ここで、前記拡張支援データは、前記第２の地理的エリア中では適用可能であり、前記第１の地理的エリア中では知られている適用不可能である支援データを備える、
前記モバイルデバイスが前記第１の地理的エリアにいる間に、前記拡張支援データを前記モバイルデバイスに送ることと
を行うためのコードを備える、ネットワークエンティティ。
【請求項３５】
モバイルデバイスのロケーション推定値を判断するためのネットワークエンティティのためのそこに記憶されたプログラムコードを備える非一時的コンピュータ可読記憶媒体であって、前記プログラムコードが、
第２の地理的エリアをそれによって定義する、第１の地理的エリア中の前記モバイルデバイスのための、識別すべき基地局を判断することと、
前記拡張支援データを準備することと、ここで、前記拡張支援データは、前記第２の地理的エリア中では適用可能であり、前記第１の地理的エリア中では知られている適用不可能である支援データを備える、
前記モバイルデバイスが前記第１の地理的エリアにいる間に、前記拡張支援データを前記モバイルデバイスに送ることと
を行うためのコードを含む、コンピュータ可読記憶媒体。
【請求項３６】
前記拡張支援データは、衛星支援データまたは地上波送信機のうちの少なくとも１つを含む、請求項１に記載の方法。